(57)【要約】      （修正有）【課題】既存のロール紙ホルダーに装着して使用でき、前方への出っ張りがなく安全かつコンパクトで、防水性も備え、衛生的に使用できるようにしたロール紙ホルダー装着用の紙切り板を提供する。【解決手段】ロール紙ホルダーの紙切り板７の幅に略対応する幅Ｗを有し、ロール紙３より大径となる側面視円弧状に湾曲した板状に形成され、基部を前記紙切り板７の基部に重ねて装着した際に、先端部１１が前記ロール紙３の軸心を通る水平線との交点よりも３〜５ｃｍ下方まで延長形成する。ロール紙ホルダー装着用紙切り板１０を、厚さ０．３〜０．５ｍｍのステンレス板により形成する。【選択図】図１
0003188305.tif 000002
【実用新案登録請求の範囲】
【請求項１】
ロール紙ホルダーの紙切り板の幅に略対応する幅を有し、ロール紙より大径となる側面視円弧状に湾曲した板状に形成され、基部を前記紙切り板の基部に重ねて装着した際に、先端部が前記ロール紙の軸心を通る水平線との交点よりも３〜５ｃｍ下方まで延長形成されていることを特徴とするロール紙ホルダー装着用紙切り板。
【請求項２】
ロール紙ホルダー装着用紙切り板は、厚さ０．３〜０．５ｍｍのステンレス板により形成されている請求項１に記載のロール紙ホルダー装着用紙切り板。
【請求項３】
ロール紙ホルダーの紙切り板にロール紙ホルダー装着用紙切り板を接着するための粘着テープを備えた請求項１又は２に記載のロール紙ホルダー装着用紙切り板。
【考案の詳細な説明】
【技術分野】
【０００１】
本考案は、トイレットペーパーなどのロール紙を保持するロール紙ホルダーの紙切り板に装着してロール紙を切断するロール紙ホルダー装着用紙切り板に関する。
【背景技術】
【０００２】
従来のトイレットペーパーホルダー（ロール紙ホルダー）の紙切り板は、紙切り部を含む先端部分が下方に緩やかに湾曲し、トイレットペーパー（ロール紙）の外周面に密着するようになっている。このため、トイレットペーパーを切り取ったとき、切り取り後のトイレットペーパーの先端部は、紙切り板の下に隠されてしまい、また、トイレットペーパーに密着した状態となる。次に使用するときは、紙切り板の先端を持ち上げて、トイレットペーパーの先端を指で摘み上げるか、トイレットペーパーを前に回転させ、トイレットペーパーの先端を露出させてから引き出すしかなく、非常に煩わしいものであった。
【０００３】
このような煩わしさを解消するものとして、特許文献１には、図４に示すように、硬質素材で形成した薄板２０の最先端位置に、小円弧を連続させた波形の紙切り部２１を設け、この紙切り部２１をロールペーパー２２の外周から常に大きく離れるように装置したトイレットペーパーホルダー２３の紙切り板２０が開示されている。
【０００４】
しかし、このものは、紙切り板２０の先端部が前方に大きく出っ張っているため、その出っ張りに当たる危険性があり、安全性に問題がある。また、出っ張りのためコンパクトにできない。さらに、ロール紙２２が大きく露出しているため、水滴等で濡れるおそれもある。
【先行技術文献】
【特許文献】
【０００５】
【特許文献１】実開昭６１−１４９５８９号公報
【考案の概要】
【考案が解決しようとする課題】
【０００６】
そこで、本考案は、既存のロール紙ホルダーに装着して使用でき、前方への出っ張りがなく安全かつコンパクトで、防水性も備え、衛生的に使用できるようにしたロール紙ホルダー装着用の紙切り板を提供することを目的とする。
【課題を解決するための手段】
【０００７】
上記の課題を解決するために、請求項１に係る考案は、ロール紙ホルダーの紙切り板の幅に略対応する幅を有し、ロール紙より大径となる側面視円弧状に湾曲した板状に形成され、基部を前記紙切り板の基部に重ねて装着した際に、先端部が前記ロール紙の軸心を通る水平線との交点よりも３〜５ｃｍ下方まで延長形成されていること、を特徴としている。
請求項２に係る考案は、ロール紙ホルダー装着用紙切り板を、厚さ０．３〜０．５ｍｍのステンレス板により形成したものである。
請求項３に係る考案は、ロール紙ホルダーの紙切り板にロール紙ホルダー装着用紙切り板を接着するための粘着テープを備えたものである。
【考案の効果】
【０００８】
請求項１に係る考案は、基部をロール紙ホルダーの紙切り板の基部に重ねて装着した際に、先端部が前記ロール紙の軸心を通る水平線との交点よりも３〜５ｃｍ下方まで延長形成されているので、ロール紙ホルダー装着用紙切り板でロール紙を切り取ったとき、切り取り後のロール紙の先端はロール紙の外周面から確実に垂れ下がる。このため、次に使用するときにはその先端部を摘んで簡単に引き出すことができ、ロール紙の未使用部分に触れることなく衛生的に使用できる。また、ロール紙ホルダー装着用紙切り板が広くロール紙を覆うので、ロール紙が水滴等で濡れるおそれもなく、衛生的である。また、既存のロール紙ホルダーの紙切り板に重ねて装着するようにしたので、既存のロール紙ホルダーをそのまま利用することができる。
請求項２に係る考案は、ロール紙ホルダー装着用紙切り板を、厚さ０．３〜０．５ｍｍのステンレス板により形成したので、先端縁にギザギザ部を形成しなくとも、容易にロール紙を切断できる。加工も容易で、安価に製造できる。また、さびにくいので、水回りの使用にも美麗さを保持できる。
請求項３に係る考案は、ロール紙ホルダーの紙切り板にロール紙ホルダー装着用紙切り板を接着するための粘着テープを備えたので、該粘着テープにより、簡単に装着することができる。
【図面の簡単な説明】
【０００９】
【図１】本考案の実施例によるロール紙ホルダー装着用紙切り板を既存のロール紙ホルダーに装着する様子を示す斜視図である。
【図２】本考案の実施例によるロール紙ホルダー装着用紙切り板を既存のロール紙ホルダーに装着した状態を示す斜視図である。
【図３】図２の側面断面図である。
【図４】従来例によるトイレットペーパーホルダーの斜視図である。
【考案を実施するための形態】
【００１０】
以下、本考案の実施例を図面に基づいて具体的に説明する。
既存のロール紙ホルダー１は、壁面にビス止めする基板２の両側にロール紙３を挟むブラケット４，４を突出形成したホルダー本体５を設け、該ホルダー本体５にロール紙３の回転軸６を設け、上端基部にロール紙３を押さえる紙切り板（ホルダーカバー）７を回動可能に支持したもので、紙切り板７は、通常、先端部分が下方に湾曲し先端にギザギザ状の紙切り刃８を設けてある。
しかし、このような既存のロール紙ホルダー１では、ロール紙３を切り取ったとき、残ったロール紙の先端はロール紙３に付着して、次にロール紙３を引き出す際に引き出し難く、ロール紙３の側面を手で押さえて先端部を引き出すと、ロール紙３の未使用部の側面に手が触れることになり不衛生である。
そこで、本考案によるロール紙ホルダー装着用紙切り板１０を既存のロール紙ホルダー１に装着することにより、かかる不都合を解消せんとするものである。
【００１１】
本考案の実施例によるロール紙ホルダー装着用紙切り板１０は、既存のロール紙ホルダー１の紙切り板７の幅に略対応する幅Ｗを有し、ロール紙３より大径となる側面視円弧状に湾曲した板状に形成されている。そして、その基部を既存のロール紙ホルダー１の紙切り板７の基部に上から重ねて装着した際に、先端部１１がロール紙３の軸心１２を通る水平線との交点１３よりも３〜５ｃｍ（Ｌ）下方まで延長されるように形成されている。
【００１２】
かかるロール紙ホルダー装着用紙切り板１０を、既存のロール紙用ホルダーの紙切り板７に上から重ねて装着する。その際、既存のロール紙用ホルダーの紙切り板７の基部側と先端部側の２箇所で、それぞれ幅方向に両面粘着テープ１４を配置して接着すれば、簡単に装着できる。
既存のロール紙ホルダーの紙切り板７は、側面視直線状のもの、緩やかに湾曲しているものなど、さまざまなものがある。このため、既存のロール紙ホルダーの紙切り板７と装着するロール紙ホルダー装着用紙切り板１０との湾曲率が不一致で、接着した基部側と先端部側との間に空間部１５が形成されることがあるが、基部側と先端部側との２箇所（１４，１４）で接着するので、何ら問題ない。
【００１３】
使用に際しては、ロール紙の先端部３ａを必要長さ分だけ引き出し、装着したロール紙ホルダー装着用紙切り板１０を片手で押さえながら、引き出したロール紙３ａを上方に引っ張れば、ロール紙を切断できる（図３）。このとき、装着用紙切り板１０の先端１１は、ロール紙３の外周面から大きく離間し、かつロール紙３の軸心１２を通る水平線との交点１３よりも大きく（Ｌ：３〜５ｃｍ）下方にある。このため、ロール紙３ａを切り取った後のロール紙の先端部３ｂはロール紙３の周面から下方に垂れ下がることになり、ロール紙３の周面とロール紙の先端垂れ下がり３ｂとの間に必ず隙間１６ができ、ロール紙の先端部３ｂがロール紙３の周面にくっついてしまうことがない。従って、次回ロール紙３を引き出す際に、ロール紙の先端部３ｂを容易に摘むことができるので、ロール紙３の側面未使用部に触れることなく、ロール紙３を簡単に引き出すことができ、衛生的に使用できることになる。
【００１４】
かかる装着用紙切り板１０によれば、ロール紙３を広く覆うので、ロール紙３の汚れを防ぐことができる。従来例のように、前方への出っ張りがないので、安全性が高い。また、水滴等によりロール紙３が濡れるおそれもない。
【００１５】
ロール紙ホルダー装着用紙切り板１０は、厚さ０．３〜０．５ｍｍ程度の薄板からなるステンレス板により形成するとよい。さびにくく、水回りの使用にも美麗さを保持できる。また、ステンレス板は加工が容易で、安価に製造できる。厚さ０．３〜０．５ｍｍ程度のステンレス板とすれば、先端縁１１にギザギザ部を形成しなくとも、容易にロール紙３を切断できる。ロール紙ホルダー装着用紙切り板１０の先端角部１７は、４ｍｍ程度のアールをつけるようにする。
【００１６】
トイレットペーパーホルダー装着用紙切り板１０の場合の寸法は、幅Ｗが１２〜１３ｃｍ程度、円弧状の湾曲部を真っ直ぐに延ばした長さが２０〜２２ｃｍ程度とする。後述する手拭い用ロール紙ホルダー装着用紙切り板の場合の寸法、キッチンペーパーホルダー装着用紙切り板の場合の寸法は、それぞれのホルダー（ロール紙）の寸法に対応させた寸法とする。
【００１７】
本考案によるロール紙ホルダー装着用紙切り板１０が装着可能なロール紙ホルダー１としては、トイレットペーパーホルダー、洗面所に設置される手拭い用のロール紙ホルダー、キッチンペーパーホルダーなどが挙げられる。
【符号の説明】
【００１８】
１  ロール紙ホルダー
２  基板
３  ロール紙
３ａ  引き出したロール紙
３ｂ  ロール紙の先端部
４  ブラケット
５  ホルダー本体
６  回転軸
７  紙切り板
８  紙切り刃
１０  ロール紙ホルダー装着用紙切り板
１１  先端部
１２  軸心
１３  交点
１４  粘着テープ
１５  空間部
１６  隙間
１７  先端角部
【図１】
0003188305.tif 000003
【図２】
0003188305.tif 000004
【図３】
0003188305.tif 000005
【図４】
0003188305.tif 000006